(57)【要約】【課題】  光源から発生する熱をリフレクタにこもらせないことを課題とする。【解決手段】  リフレクタ６８には、裏面にフィン７０が一体形成されている。これにより、ＬＥＤ実装基板６４の熱は、フィン７０によってリフレクタ８６の裏面から放熱される。したがって、ＬＥＤ実装基板６４の近傍にある電子部品の誤作動を引き起こしてしまう恐れがない。また、フィン７０はリフレクタ６８と一体的に設けられているので、取り付けコストがアップする恐れがない。さらに、リフレクタ６８は筐体１２に取り付けられており、この筐体１２には、リフレクタ６８の裏面に外気を導入する孔７８が形成されている。これにより、リフレクタ６８に設けられたフィン７０によって放熱された熱が、孔７８から筐体１２の外部へ放出されるので、筐体１２の中に熱がこもってしまうことがない。【選択図】    図４
2006308775.tif 000002
【特許請求の範囲】
【請求項１】
光源と、前記光源を取り囲むように反射面が設けられ、前記光源から出射される光を反射する反射部材と、を有する光源装置において、
前記反射面の裏面に、前記反射部材と一体的に形成された第１放熱手段を有することを特徴とする光源装置。
【請求項２】
前記反射部材が取り付けられる筐体には、前記第１放熱手段へ外気を導入する開口孔が形成されていることを特徴とする請求項１に記載の光源装置。
【請求項３】
前記第１放熱手段は、前記反射部材に形成された複数の放熱板であることを特徴とする請求項１又は請求項２に記載の光源装置。
【請求項４】
光源と、前記光源を取り囲むように反射面が設けられ、前記光源から出射される光を反射する反射部材と、を有する光源装置において、
前記反射部材の投射口は、光を透過可能な第２放熱手段で覆われていることを特徴とする光源装置。
【請求項５】
前記第２放熱手段は、所定の間隔で配置された複数の板材で構成されていることを特徴とする請求項４に記載の光源装置。
【請求項６】
前記第２放熱手段は、前記投射口を閉じ光を透過可能なシールド部材と、前記シールド部材の外面に形成された複数の溝と、で構成されていることを特徴とする請求項４に記載の光源装置。
【請求項７】
前記反射部材には、前記光源が複数配置されていることを特徴とする請求項１〜請求項６のいずれか１項に記載の光源装置。
【請求項８】
前記反射部材が複数配置されおり、前記光源はそれぞれ前記反射部材に配置されていることを特徴とする請求項１〜請求項７のいずれか１項に記載の光源装置。
【請求項９】
前記光源は、ＬＥＤであることを特徴とする請求項１〜請求項８のいずれか１項に記載の光源装置。
【請求項１０】
前記光源は、前記第１放熱手段へ取り付けられた基板と、前記基板に搭載され、反射面に取り囲まれるＬＥＤと、で構成されていることを特徴とする請求項１〜請求項８のいずれか１項に記載の光源装置。
【請求項１１】
前記請求項１〜前記請求項１０のいずれか１項に記載された光源装置を備えたことを特徴とするカメラ。
【発明の詳細な説明】
【技術分野】
【０００１】
本発明は、光源装置、及びこの光源装置を搭載するカメラに関するものである。
【背景技術】
【０００２】
デジタルカメラなどに搭載され、撮影レンズから被写体までの距離を測定するためのＡＦ（Automatic Focus：自動合焦）補助光を発光するＡＦ発光装置には、例えば、発光ダイオード（ＬＥＤ）が利用されている（特許文献１参照）。
【０００３】
特許文献１では、ＬＥＤがリフレクタに絶縁体を介して取り付けられている。このとき、ＬＥＤの発光によってリフレクタが熱くなる。また、リフレクタの投射口をガラス等で閉塞する場合には、リフレクタ内に熱がこもってしまう。これにより、リフレクタ近傍に配置された電子部品の誤作動を引き起こしてしまう恐れがある。
【特許文献１】特開２００３−５９３０６号公報
【発明の開示】
【発明が解決しようとする課題】
【０００４】
本発明は、上記事実を考慮して、光源から発生する熱をリフレクタにこもらせないことを課題とする。
【課題を解決するための手段】
【０００５】
請求項１に記載の発明では、光源と、前記光源を取り囲むように反射面が設けられ、前記光源から出射される光を反射する反射部材と、を有する光源装置において、前記反射面の裏面に、前記反射部材と一体的に形成された第１放熱手段を有することを特徴としている。
【０００６】
請求項１に記載の発明によれば、反射部材には、裏面に一体的に第１放熱手段が設けられている。これにより、光源によって加熱された反射部材の空気が第１放熱手段によって反射面の裏面外へ放熱される。したがって、反射部材近傍にある電子部品の誤作動を引き起こしてしまう恐れがない。
【０００７】
また、第１放熱手段は反射部材と一体的に設けられているので、取り付けコストがアップする恐れがない。
【０００８】
請求項２に記載の発明では、前記反射部材が取り付けられる筐体には、前記第１放熱手段へ外気を導入する開口孔が形成されていることを特徴としている。
【０００９】
請求項２に記載の発明によれば、反射部材は筐体に取り付けられており、この筐体には第１放熱部材に外気を導入する開口孔が形成されている。これにより、反射部材に設けられた第１放熱手段によって放熱された熱が、開口孔から外気へ放出されるので、筐体の中に熱がこもってしまうことがない。したがって、放熱効果が上がる。
【００１０】
請求項３に記載の発明では、前記第１放熱手段は、前記反射部材に形成された複数の放熱板であることを特徴としている。
【００１１】
請求項３に記載の発明によれば、反射部材の反射面の裏面には、複数の放熱板が形成されている。この放熱板により反射部材の裏面の表面積を容易に広げることができるため、反射部材の放熱量の調整が容易となる。
【００１２】
請求項４に記載の発明では、光源と、前記光源を取り囲むように反射面が設けられ、前記光源から出射される光を反射する反射部材と、を有する光源装置において、前記反射部材の投射口は、光を透過可能な第２放熱手段で覆われていることを特徴としている。
【００１３】
請求項４に記載の発明によれば、反射部材の投射口に光を透過可能な第２放熱手段で、光源によって加熱された反射部材の熱が放熱され、反射部材に熱がこもることがない。
【００１４】
請求項５に記載の発明では、前記第２放熱手段は、所定の間隔で配置された複数の板材で構成されていることを特徴としている。
【００１５】
請求項５に記載の発明によれば、複数の板材を所定の間隔で配置することで、反射部材の投射口には複数の隙間が形成される。これにより、光源によって加熱された反射部材の空気が光源装置外へ放熱されやすくなり、反射部材に熱がこもることがない。
【００１６】
請求項６に記載の発明では、前記第２放熱手段は、前記投射口を閉じ光を透過可能なシールド部材と、前記シールド部材の外面に形成された複数の溝と、で構成されていることを特徴としている。
【００１７】
請求項６に記載の発明によれば、反射部材の投射口は、外面に複数の溝が形成された光を透過可能なシールド部材によって閉じられている。溝によって反射部材の外面の表面積を広げ、光源によって加熱された反射部材の熱を外面に放熱する。
【００１８】
請求項７に記載の発明では、前記反射部材には、前記光源が複数配置されていることを特徴としている。
【００１９】
請求項７に記載の発明によれば、反射部材に複数の光源が配置されている場合、光源から発生した熱は、反射部材に設けられた第１放熱手段又は第２放熱手段によって反射部材外へ放出される。
【００２０】
請求項８に記載の発明では、前記反射部材が複数配置されおり、前記光源はそれぞれ前記反射部材に配置されていることを特徴としている。
【００２１】
請求項８に記載の発明によれば、複数配置された反射部材のそれぞれに、光源が設けられている場合、それぞれの光源から発生する熱が、それぞれの反射部材に設けられた第１放熱手段又は第２放熱手段によって反射部材外へ放出される。
【００２２】
請求項９に記載の発明では、前記光源は、ＬＥＤであることを特徴としている。
【００２３】
請求項９に記載の発明によれば、光源としてＬＥＤ（発光ダイオード）を用いれば、消費電力を低減できると共に、発熱量が少ないため周辺に発熱による影響を及ぼす恐れが低減される。
【００２４】
請求項１０に記載の発明では、前記光源は、前記第１放熱手段へ取り付けられた基板と、前記基板に搭載され、反射面に取り囲まれたＬＥＤと、で構成されていることを特徴としている。
【００２５】
請求項１０に記載の発明によれば、反射面に取り囲まれたＬＥＤが搭載された基板に、第１放熱手段が取り付けられている。これにより、発生し易い基板の熱が第１放熱手段から放熱されるので、反射部材に熱がこもることがない。
【００２６】
請求項１１に記載の発明のカメラは、前記請求項１〜前記請求項１０のいずれか１項に記載された光源装置を備えたことを特徴としている。
【発明の効果】
【００２７】
本発明は上記構成としたので、光源から発生する熱がリフレクタにこもらない。
【発明を実施するための最良の形態】
【００２８】
以下、図面を参照して、本発明の第１の実施形態に係る光源装置（ストロボ４４）について説明する。まず、図１を参照して、ストロボ４４が搭載されたデジタルカメラ１０の外観上の構成を説明する。
【００２９】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。なお、ストロボ４４の構成については、詳細を後述する。
【００３０】
また、デジタルカメラ１０の上面には、撮影を実行する際に押圧操作されるレリーズボタン（所謂シャッター）５６Ａと、電源スイッチ５６Ｂと、が備えられている。
【００３１】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３２】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００３４】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００３５】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００３６】
次に、図２を参照して、本実施の形態に係るデジタルカメラ１０の電気系の構成を説明する。
【００３７】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３８】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３９】
なお、デジタル信号処理部３０は、所定容量のラインバッファを内蔵し、入力されたデジタルデータを後述するメモリ４８の所定領域に直接記憶させる制御も行う。
【００４０】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。したがって、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４１】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４２】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００４３】
なお、本実施の形態のデジタルカメラ１０では、メモリ４８としてＶＲＡＭ（Video RAM）が用いられ、メモリカード５２としてスマートメディア（Smart Media(登録商標））が用いられている。
【００４４】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。したがって、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００４５】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４６】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４７】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４８】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４９】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５０】
次に、本実施の形態に係るデジタルカメラ１０の撮影時における全体的な動作について簡単に説明する。
【００５１】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５２】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５３】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００５４】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５５】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５６】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００５７】
次に、ストロボ４４について説明する。
【００５８】
図３に示すように、ストロボ４４は発光ダイオード（ＬＥＤ）６２を備えている。ＬＥＤ６２はＬＥＤ実装基板６４上に搭載されている。
【００５９】
このＬＥＤ実装基板６４は、リフレクタ６８に取り付けられている。リフレクタ６８は、広口開口部６８Ａを有する円錐台形状とされ、広口開口部６８Ａと対向する底面には、円状の開口部７４が形成されている。この開口部７４には、ＬＥＤ実装基板６４に搭載されたＬＥＤ６２が挿通されるようになっており、ＬＥＤ実装基板６４はリフレクタ６８の裏面（反射面の裏面）に取り付けられている。
【００６０】
図４に示すように、リフレクタ６８の裏面には、一定の間隔で複数のフィン７０が一体形成されている。このように、複数のフィン７０を形成することによってリフレクタ６８の裏面の表面積が大きくなるので、ＬＥＤ６２を発光させることでＬＥＤ実装基板６４に発生する熱が、リフレクタ６８の裏面から放熱されやすくなる。
【００６１】
図５に示すように、リフレクタ６８の広口開口部６８Ａ側には、デジタルカメラ１０（図１参照）の筐体１２が位置するようになっている。筐体１２には、リフレクタ６８の広口開口部６８Ａとほぼ同じ大きさの円形の開口部７２が形成されており、この開口部７２にはカバーガラス７６が嵌め込まれている。これにより、ＬＥＤ６２から出射された光は、リフレクタ６８で反射されて、カバーガラス７６を透過して被写体へ照射される。
【００６２】
筐体１２の開口部７２近傍には、６個の孔７８が形成されている。そして、図６に示すように、リフレクタ６８の裏面から放熱され、リフレクタ６８と筐体１２で閉塞された空間にこもった熱が、孔７８から筐体１２の外へ放出されるようになっている。
【００６３】
なお、本実施形態では、６個の孔７８を開口部７２の近傍に設ける構成としたが、孔７８の個数は６個に限定されるものではない。また、筐体１２の開口部７２近傍（カバーガラス７６が嵌め込まれた付近）に孔７８を形成し、ＬＥＤ６２の出射方向側に、リフレクタ６８と筐体１２で閉塞された空間に溜まった熱を放熱する構成としたが、ＬＥＤ６２の出射方向と直交する壁面に孔を形成してもよい。つまり、リフレクタ６８から放熱された熱を放出する方向は、ＬＥＤ６２の出射方向と必ずしも一致させる必要はない。
【００６４】
次に、本発明の第１の実施形態の作用について説明する。
【００６５】
ＬＥＤ６２が搭載されたストロボ４４では、ＬＥＤ６２を発光させる時間が長いため、ＬＥＤ６２が実装されたＬＥＤ実装基板６４が熱を持つ。そこで、リフレクタ６８の裏面に、一定の間隔で複数のフィン７０を形成する。これにより、ＬＥＤ実装基板６４の熱は、フィン７０によってリフレクタ８６の裏面から放熱される。したがって、ＬＥＤ実装基板６４の近傍にある電子部品の誤作動を引き起こしてしまう恐れがない。また、フィン７０はリフレクタ６８と一体的に設けられているので、取り付けコストがアップする恐れがない。
【００６６】
さらに、リフレクタ６８は筐体１２に取り付けられており、この筐体１２には、リフレクタ６８の裏面に外気を導入する孔７８が形成されている。これにより、リフレクタ６８に設けられたフィン７０から放熱された熱が、孔７８から筐体１２の外部へ放出されるので、筐体１２の中に熱がこもってしまうことがない。
【００６７】
次に、本発明の第２の実施形態に係る光源装置（ストロボ８０）について説明する。なお、第１の実施形態と同様の部分についての説明は割愛する。
【００６８】
第１の実施形態のカバーガラス７６に代えて、第２の実施形態では、筐体１２の開口部７２には複数の板状部材８２が所定の間隔を設けて取り付けられている。つまり、開口部７２は複数の隙間が形成された状態となっており、ＬＥＤ６２を発光させることで加熱されたリフレクタ６８内の熱が、この隙間からリフレクタ６８（図３参照）の外部へ放出されるようになっている。これにより、リフレクタ６８内に熱がこもることがない。
【００６９】
なお、本実施形態では、開口部７２に複数の板状部材８２を所定の間隔で設ける構成としたが、透光性のシールド部材で開口部７２を覆い、このシールド部材の、ＬＥＤ６２と対向する側と反対側の面（外側の面）に複数の溝を形成してもよい。これにより、シールド部材の外側の面の表面積が大きくなるので、ＬＥＤ６２の発光によって加熱された熱を効率良く筐体１２の外部へ放熱させることができる。
【００７０】
また、本実施形態では、光源装置としてストロボを例に採り、ＬＥＤ実装基板６４上にＬＥＤが１個だけ実装された場合について説明したが、ＬＥＤ実装基板上に複数のＬＥＤが実装されて構成された光源装置の場合には、それぞれのＬＥＤに対して、裏面にフィンが形成されたリフレクタを設けることで、ＬＥＤの発光によってＬＥＤ実装基板に発生した熱を、それぞれのリフレクタを介して効率良く放熱することができる。
【００７１】
さらに、本実施形態では、ＬＥＤを使用するストロボを光源装置として説明したが、白熱電球やレーザーダイオード（ＬＤ）を光源とし、この光源を覆うようにして反射鏡（リフレクタ）を設けて構成された光源装置であれば、本発明を適用することができる。
【図面の簡単な説明】
【００７２】
【図１】本発明の第１の実施形態に係る光源装置が搭載されたカメラの外観を示す外観図である。
【図２】本発明の第１の実施形態に係る光源装置が搭載されたカメラの電気系の構成を示すブロック図である。
【図３】本発明の第１の実施形態に係る光源装置を示す分解斜視図である。
【図４】本発明の第１の実施形態に係る光源装置を後ろ側から見た斜視図である。
【図５】本発明の第１の実施形態に係る光源装置をカメラの筐体に取り付ける状態を示す斜視図である。
【図６】本発明の第１の実施形態に係る光源装置をカメラの筐体に取り付けた状態の断面図である。
【図７】本発明の第２の実施形態に係る光源装置を示す斜視図である。
【符号の説明】
【００７３】
１０  デジタルカメラ（カメラ）
１２  筐体
４４  フラッシュ（光源装置）
６２  ＬＥＤ
６４  ＬＥＤ実装基板（基板）
６８  リフレクタ（反射部材）
６８Ａ  広口開口部（開口部）
７０  フィン（第１放熱手段）
７６  カバーガラス（シールド部材）
７８  孔（開口孔）
８０  光源装置
８２  板状部材（第２放熱手段）
【図１】
2006308775.tif 000003
【図２】
2006308775.tif 000004
【図３】
2006308775.tif 000005
【図４】
2006308775.tif 000006
【図５】
2006308775.tif 000007
【図６】
2006308775.tif 000008
【図７】
2006308775.tif 000009